(57)【要約】【課題】第三者カード発行における第三者カード管理センター側と第三者カードの申込み希望者側の双方にかかる負担を軽減することを可能とする。【解決手段】遊技店Ａの会員カードに記録されている会員カード情報を会員登録機３１により読み取り、この読み取った会員カード情報に基づいて第三者が発行管理する第三者カードの発行が可能であるか否かを判定し、この判定により第三者カードの発行が可能であると判定された場合、第三者カードを登録管理する第三者カード管理センターＢで上記読み取った会員カード情報に基づいた第三者カードの管理情報を登録し、第三者カード管理センターＢにて第三者カードの管理情報を登録した後にその第三者カード管理センターＢから受け取った情報を会員登録機３１で会員カード情報を読み取った会員カードに記録する。【選択図】  図２
2004252846.tif 000002
【特許請求の範囲】
【請求項１】
遊技店の会員カードに記録されている会員カード情報を読み取るカード情報読取手段と、
前記カード情報読取手段で読み取った会員カード情報に基づいて第三者が発行管理する第三者カードの発行が可能であるか否かを判定する判定手段と、
前記判定手段による判定により第三者カードの発行が可能であると判定された場合、前記読み取った会員カード情報に基づいて第三者カードの管理情報を登録する第三者カード管理手段と、
前記第三者カード管理手段にて第三者カードの管理情報を登録した後に該第三者カード管理手段から受け取った情報を前記カード情報読取手段で会員カード情報を読み取った会員カードに記録する記録手段と
を具備することを特徴とする第三者カード発行システム。
【請求項２】
前記判定手段は、
前記カード情報読取手段で読み取った会員カード情報に含まれる当該会員カードの登録者を特定する会員登録者情報に基づき当該会員カードの登録者が第三者カードの保有者として登録されていない場合に第三者カードの発行が可能であると判定し、
前記第三者カード管理手段は、
前記判定手段による判定により第三者カードの発行が可能であると判定された場合、第三者カードの識別情報を設定し、該設定した第三者カード識別情報と共に前記会員登録者情報に基づいた第三者カードの保有者情報を登録し、
前記記録手段は、
前記第三者カード管理手段にて前記第三者カード識別情報及び前記第三者カードの保有者情報を登録した後に該第三者カード管理手段から受け取った第三者カード識別情報を前記カード情報読取手段で会員カード情報を読み取った会員カードに記録する
ことを特徴とする請求項１記載の第三者カード発行システム。
【請求項３】
前記第三者カードの発行を希望する者の身分を証明する身分証明用データを入力するデータ入力手段を更に具備し、
前記判定手段は、
前記読み取った会員カード情報と前記データ入力手段で入力した身分証明用データに基づいて第三者が発行管理する第三者カードの発行が可能であるか否かを判定することを特徴とする請求項１記載の第三者カード発行システム。
【請求項４】
遊技店の会員カードに記録されている会員カード情報を読み取るカード情報読取手段と、
前記カード情報読取手段で読み取られた会員カード情報に基づいて第三者が発行管理する第三者カードの発行が可能であるか否かを判定する判定手段と、
前記会員カードの会員情報を管理する会員管理手段と、
前記判定手段により第三者カードの発行が可能であると判定された場合に、前記カード情報読取手段で読み取った会員カード情報に基づき前記会員管理手段で管理されている当該会員カードの会員情報を検索する検索手段と、
前記検索手段により検索された会員情報に基づいて第三者カードの管理情報を登録する第三者カード管理手段と、
前記第三者カード管理手段にて第三者カードの管理情報を登録した後に該第三者カード管理手段から受け取った情報を前記カード情報読取手段で会員カード情報を読み取った会員カードに記録する記録手段と
を具備することを特徴とする第三者カード発行システム。
【請求項５】
前記判定手段は、
前記検索手段で検出した会員情報に含まれる当該会員カードの登録者を特定する会員登録者情報に基づき当該会員カードの登録者が第三者カードの保有者として登録されていない場合に第三者カードの発行が可能であると判定し、
前記第三者カード管理手段は、
前記判定手段による判定により第三者カードの発行が可能であると判定された場合、第三者カードの識別情報を設定し、該設定した第三者カード識別情報と共に前記会員登録者情報に基づいた第三者カードの保有者情報を登録し、
前記記録手段は、
前記第三者カード管理手段にて前記第三者カード識別情報及び前記第三者カードの保有者情報を登録した後に該第三者カード管理手段から受け取った第三者カード識別情報を前記カード情報読取手段で会員カード情報を読み取った会員カードに記録する
ことを特徴とする請求項４記載の第三者カード発行システム。
【請求項６】
前記第三者カードの発行を希望する者の身分を証明する身分証明用データを入力するデータ入力手段を更に具備し、
前記判定手段は、
前記検索手段で検出した会員情報と前記データ入力手段で入力した身分証明用データに基づいて第三者が発行管理する第三者カードの発行が可能であるか否かを判定することを特徴とする請求項４記載の第三者カード発行システム。
【請求項７】
遊技店の会員カードを発行する発行手段と、
前記会員カードの会員情報を管理する会員管理手段と、
前記発行手段にセットされた会員カードの登録者を特定する会員登録者情報を前記会員管理手段に入力する入力手段と、
前記入力手段で入力した会員登録者情報に基づき前記発行手段にセットされた会員カードの会員情報を前記会員管理手段に登録する登録手段と、
前記入力手段で入力された会員登録者情報に基づいて第三者カードの管理情報を登録する第三者カード管理手段と、
前記第三者カード管理手段にて第三者カードの管理情報を登録した後に該第三者カード管理手段から受け取った情報を前記カード情報読取手段で会員カード情報を読み取った会員カードに記録する記録手段と、
を具備することを特徴とする第三者カード発行システム。
【請求項８】
前記入力手段で入力された会員登録者情報に基づいて第三者が発行管理する第三者カードの発行が可能であるか否かを判定する判定手段を更に具備し、
前記第三者カード管理手段は、
前記判定手段による判定により第三者カードの発行が可能であると判定された場合に前記会員登録者情報に基づいて第三者カードの管理情報を登録する
ことを特徴とする請求項７記載の第三者カード発行システム。
【請求項９】
前記判定手段は、
前記会員登録者情報に基づき当該会員カードの発行を希望する者が第三者カードの保有者として登録されていない場合に第三者カードの発行が可能であると判定し、
前記第三者カード管理手段は、
前記判定手段による判定により第三者カードの発行が可能であると判定された場合、第三者カードの識別情報を設定し、該設定した第三者カード識別情報と共に前記会員登録者情報に基づいた第三者カードの保有者情報を登録し、
前記記録手段は、
前記第三者カード管理手段にて前記第三者カード識別情報及び前記第三者カードの保有者情報を登録した後に該第三者カード管理手段から受け取った第三者カード識別情報を前記カード情報読取手段で会員カード情報を読み取った会員カードに記録する
ことを特徴とする請求項８記載の第三者カード発行システム。
【請求項１０】
前記第三者カードの発行を希望する者の身分を証明する身分証明用データを入力するデータ入力手段を更に具備し、
前記判定手段は、
前記読み取った会員カード情報と前記データ入力手段で入力した身分証明用データに基づいて第三者が発行管理する第三者カードの発行が可能であるか否かを判定することを特徴とする請求項８記載の第三者カード発行システム。
【請求項１１】
前記発行手段にセットされる会員カードには、予め会員カードの識別情報が記録されており、
前記会員カードの識別情報を読み取るカード情報読取手段を具備し、
前記登録手段は、
前記カード情報読取手段で読み取った会員カード識別情報に対応付けて前記会員情報を登録することを特徴とする請求項７記載の第三者カード発行システム。
【請求項１２】
前記発行手段にセットされる会員カードには、会員カードの識別情報が記録されておらず、
前記登録手段は、
所定の条件に従って会員カードの識別情報を設定し、該設定した会員カード識別情報に対応付けて前記会員情報を登録し、
前記記録手段は、
前記登録した会員カード識別情報を前記第三者カード管理手段から受け取った情報と共に記録することを特徴とする請求項７記載の第三者カード発行システム。
【請求項１３】
前記第三者カードの発行を希望する者の身分を証明する身分証明用データを入力するデータ入力手段と、
前記データ入力手段により入力された身分証明用データを第三者カード管理手段に送信するデータ送信手段を具備し、
前記第三者カード管理手段は受け取った身分証明用データを第三者カードの管理情報として登録する
ことを特徴とする請求項１、４および７記載の第三者カード発行システム。
【請求項１４】
遊技店の会員カードに記録されている会員カード情報を読取手段により読み取り、
該読み取った会員カード情報に基づいて第三者が発行管理する第三者カードの発行が可能であるか否かを判定し、
該判定により第三者カードの発行が可能であると判定された場合、前記第三者カードを登録管理する第三者カード管理手段で前記読み取った会員カード情報に基づいた第三者カードの管理情報を登録し、
前記第三者カード管理手段にて第三者カードの管理情報を登録した後に該第三者カード管理手段から受け取った第三者カードへ記録する記録情報を前記カード情報読取手段で会員カード情報を読み取った会員カードに記録する
ことを特徴とする第三者カード発行方法。
【請求項１５】
遊技店の会員カードに記録されている会員カード情報を読取手段により読み取り、
該読み取った会員カード情報に基づいて第三者が発行管理する第三者カードの発行が可能であるか否かを判定し、
該判定により第三者カードの発行が可能であると判定された場合に、前記読み取った会員カード情報に基づき前記会員管理手段で管理されている当該会員カードの会員情報を検索し、
前記第三者カードを登録管理する第三者カード管理手段で前記検索された会員情報に基づいた第三者カードの管理情報を登録し、
前記第三者カード管理手段にて第三者カードの管理情報を登録した後に該第三者カード管理手段から受け取った情報を前記カード情報読取手段で会員カード情報を読み取った会員カードに記録する
ことを特徴とする第三者カード発行方法。
【請求項１６】
遊技店の会員カードを発行する発行手段に会員カードをセットすると共に、該発行手段にセットされた会員カードの登録者を特定する会員登録者情報を前記会員カードの会員情報を管理する会員管理手段に入力し、
該入力した会員登録者情報に基づき前記発行手段にセットされた会員カードの会員情報を前記会員管理手段に登録し、
第三者カードを登録管理する第三者カード管理手段で前記入力した会員登録者情報に基づいた第三者カードの管理情報を登録し、
前記第三者カード管理手段にて第三者カードの管理情報を登録した後に該第三者カード管理手段から受け取った情報を前記カード情報読取手段で会員カード情報を読み取った会員カードに記録する
ことを特徴とする第三者カード発行方法。
【発明の詳細な説明】
【０００１】
【発明の属する技術分野】
本発明は、パチンコ店やパチスロ店等の遊技店におけるシステムに関し、特に、第三者カード発行における第三者カード管理センター側と第三者カードの申込み希望者側の双方にかかる負担を軽減することを可能にした第三者カード発行システムおよびその第三者カード発行方法に関する。
【０００２】
【従来の技術】
近年のパチンコ店やパチスロ店等の遊技店では、会員サービスなるものを提供する会員登録管理システムが知られている（例えば、特許文献１の「遊技ホールの会員システム」参照）。そして、このようなシステムを採用する遊技店では、該遊技店で用いる会員カードを発行している。
【０００３】
ところで、近年では、上記遊技店で発行される会員カード以外にも多種多様のカードが発行され、それぞれ所定のシステムで利用されている。
【０００４】
例えば、そのような遊技店の会員カード以外の第三者カードとしてクレジットカード等がある。
【０００５】
尚、このクレジットカードの発行までの流れを以下に示す。
【０００６】
▲１▼希望者が申込書を記入し、免許証等の身分証明書のコピーを同封の上、所定の管理センターに送付する。▲２▼そして、該管理センターでカードを発行する（通常、カードにはカードＩＤが記録される）。▲３▼次いで、該管理センターでカード発行時に属性としての保有者情報（氏名および住所等）を管理サーバに入力する。▲４▼次いで、発行したカードを該当する申込者に送付する。
【０００７】
これにより、カードを受け取った申込者は、該カードを用いて所望のサービスを受けることができる。
【０００８】
このように、従来のカードの発行には、以下のような不都合がある。（ア）申込書に身分証明書のコピーが必要なためコピーの手間、費用が必要。（イ）申込書を送付してからカードが送られてくるまでの期間は、該カードを用いたサービスを受けられない。（ウ）申込、カード送付のために膨大な費用がかかる。（エ）更新処理する場合には、上記（イ）及び（ウ）と同様の費用と期間がかかる。
【０００９】
【特許文献１】
特開平７−５１４５８号公報。
【００１０】
【発明が解決しようとする課題】
上述の如く、従来クレジットカード等の第三者カードの発行方法には、第三者カードを発行管理する第三者カード管理センター側と該第三者カードの申込み希望者側の双方に負担がかかるものとなっている。
【００１１】
そこで、本発明は上記実情を鑑み、第三者カード発行における第三者カード管理センター側と第三者カードの申込み希望者側の双方にかかる負担を軽減することが可能な第三者カード発行システムおよびその第三者カード発行方法の提供を目的とするものである。
【００１２】
【課題を解決するための手段】
上述した目的を達成するため、請求項１記載の発明は、遊技店の会員カードに記録されている会員カード情報を読み取るカード情報読取手段と、前記カード情報読取手段で読み取った会員カード情報に基づいて第三者が発行管理する第三者カードの発行が可能であるか否かを判定する判定手段と、前記判定手段による判定により第三者カードの発行が可能であると判定された場合、前記読み取った会員カード情報に基づいて第三者カードの管理情報を登録する第三者カード管理手段と、前記第三者カード管理手段にて第三者カードの管理情報を登録した後に該第三者カード管理手段から受け取った情報を前記カード情報読取手段で会員カード情報を読み取った会員カードに記録する記録手段とを具備することを特徴とする。
【００１３】
また、請求項２の発明は、請求項１の発明において、前記判定手段は、前記カード情報読取手段で読み取った会員カード情報に含まれる当該会員カードの登録者を特定する会員登録者情報に基づき当該会員カードの登録者が第三者カードの保有者として登録されていない場合に第三者カードの発行が可能であると判定し、前記第三者カード管理手段は、前記判定手段による判定により第三者カードの発行が可能であると判定された場合、第三者カードの識別情報を設定し、該設定した第三者カード識別情報と共に前記会員登録者情報に基づいた第三者カードの保有者情報を登録し、前記記録手段は、前記第三者カード管理手段にて前記第三者カード識別情報及び前記第三者カードの保有者情報を登録した後に該第三者カード管理手段から受け取った第三者カード識別情報を前記カード情報読取手段で会員カード情報を読み取った会員カードに記録することを特徴とする。
【００１４】
また、請求項３の発明は、請求項１の発明において、前記第三者カードの発行を希望する者の身分を証明する身分証明用データを入力するデータ入力手段を更に具備し、前記判定手段は、前記読み取った会員カード情報と前記データ入力手段で入力した身分証明用データに基づいて第三者が発行管理する第三者カードの発行が可能であるか否かを判定することを特徴とする。
【００１５】
また、請求項４の発明は、遊技店の会員カードに記録されている会員カード情報を読み取るカード情報読取手段と、前記カード情報読取手段で読み取られた会員カード情報に基づいて第三者が発行管理する第三者カードの発行が可能であるか否かを判定する判定手段と、前記会員カードの会員情報を管理する会員管理手段と、前記判定手段により第三者カードの発行が可能であると判定された場合に、前記カード情報読取手段で読み取った会員カード情報に基づき前記会員管理手段で管理されている当該会員カードの会員情報を検索する検索手段と、前記検索手段により検索された会員情報に基づいて第三者カードの管理情報を登録する第三者カード管理手段と、前記第三者カード管理手段にて第三者カードの管理情報を登録した後に該第三者カード管理手段から受け取った情報を前記カード情報読取手段で会員カード情報を読み取った会員カードに記録する記録手段とを具備することを特徴とする。
【００１６】
また、請求項５の発明は、請求項４の発明において、前記判定手段は、前記検索手段で検出した会員情報に含まれる当該会員カードの登録者を特定する会員登録者情報に基づき当該会員カードの登録者が第三者カードの保有者として登録されていない場合に第三者カードの発行が可能であると判定し、前記第三者カード管理手段は、前記判定手段による判定により第三者カードの発行が可能であると判定された場合、第三者カードの識別情報を設定し、該設定した第三者カード識別情報と共に前記会員登録者情報に基づいた第三者カードの保有者情報を登録し、前記記録手段は、前記第三者カード管理手段にて前記第三者カード識別情報及び前記第三者カードの保有者情報を登録した後に該第三者カード管理手段から受け取った第三者カード識別情報を前記カード情報読取手段で会員カード情報を読み取った会員カードに記録することを特徴とする。
【００１７】
また、請求項６の発明は、請求項４の発明において、前記第三者カードの発行を希望する者の身分を証明する身分証明用データを入力するデータ入力手段を更に具備し、前記判定手段は、前記検索手段で検出した会員情報と前記データ入力手段で入力した身分証明用データに基づいて第三者が発行管理する第三者カードの発行が可能であるか否かを判定することを特徴とする。
【００１８】
また、請求項７の発明は、遊技店の会員カードを発行する発行手段と、前記会員カードの会員情報を管理する会員管理手段と、前記発行手段にセットされた会員カードの登録者を特定する会員登録者情報を前記会員管理手段に入力する入力手段と、前記入力手段で入力した会員登録者情報に基づき前記発行手段にセットされた会員カードの会員情報を前記会員管理手段に登録する登録手段と、前記入力手段で入力された会員登録者情報に基づいて第三者カードの管理情報を登録する第三者カード管理手段と、前記第三者カード管理手段にて第三者カードの管理情報を登録した後に該第三者カード管理手段から受け取った情報を前記カード情報読取手段で会員カード情報を読み取った会員カードに記録する記録手段とを具備することを特徴とする。
【００１９】
また、請求項８の発明は、請求項７の発明において、前記入力手段で入力された会員登録者情報に基づいて第三者が発行管理する第三者カードの発行が可能であるか否かを判定する判定手段を更に具備し、前記第三者カード管理手段は、前記判定手段による判定により第三者カードの発行が可能であると判定された場合に前記会員登録者情報に基づいて第三者カードの管理情報を登録することを特徴とする。
【００２０】
また、請求項９の発明は、請求項８の発明において、前記判定手段は、前記会員登録者情報に基づき当該会員カードの発行を希望する者が第三者カードの保有者として登録されていない場合に第三者カードの発行が可能であると判定し、前記第三者カード管理手段は、前記判定手段による判定により第三者カードの発行が可能であると判定された場合、第三者カードの識別情報を設定し、該設定した第三者カード識別情報と共に前記会員登録者情報に基づいた第三者カードの保有者情報を登録し、前記記録手段は、前記第三者カード管理手段にて前記第三者カード識別情報及び前記第三者カードの保有者情報を登録した後に該第三者カード管理手段から受け取った第三者カード識別情報を前記カード情報読取手段で会員カード情報を読み取った会員カードに記録することを特徴とする。
【００２１】
また、請求項１０の発明は、請求項８の発明において、前記第三者カードの発行を希望する者の身分を証明する身分証明用データを入力するデータ入力手段を更に具備し、前記判定手段は、前記読み取った会員カード情報と前記データ入力手段で入力した身分証明用データに基づいて第三者が発行管理する第三者カードの発行が可能であるか否かを判定することを特徴とする。
【００２２】
また、請求項１１の発明は、請求項７の発明において、前記発行手段にセットされる会員カードには、予め会員カードの識別情報が記録されており、前記会員カードの識別情報を読み取るカード情報読取手段を具備し、前記登録手段は、前記カード情報読取手段で読み取った会員カード識別情報に対応付けて前記会員情報を登録することを特徴とする。
【００２３】
また、請求項１２の発明は、請求項７の発明において、前記発行手段にセットされる会員カードには、会員カードの識別情報が記録されておらず、前記登録手段は、所定の条件に従って会員カードの識別情報を設定し、該設定した会員カード識別情報に対応付けて前記会員情報を登録し、前記記録手段は、前記登録した会員カード識別情報を前記第三者カード管理手段から受け取った情報と共に記録することを特徴とする。
【００２４】
また、請求項１３の発明は、請求項１、４および７の発明において、前記第三者カードの発行を希望する者の身分を証明する身分証明用データを入力するデータ入力手段と、前記データ入力手段により入力された身分証明用データを第三者カード管理手段に送信するデータ送信手段を具備し、前記第三者カード管理手段は受け取った身分証明用データを第三者カードの管理情報として登録することを特徴とする。
【００２５】
また、請求項１４の発明は、遊技店の会員カードに記録されている会員カード情報を読取手段により読み取り、該読み取った会員カード情報に基づいて第三者が発行管理する第三者カードの発行が可能であるか否かを判定し、該判定により第三者カードの発行が可能であると判定された場合、前記第三者カードを登録管理する第三者カード管理手段で前記読み取った会員カード情報に基づいた第三者カードの管理情報を登録し、前記第三者カード管理手段にて第三者カードの管理情報を登録した後に該第三者カード管理手段から受け取った第三者カードへ記録する記録情報を前記カード情報読取手段で会員カード情報を読み取った会員カードに記録することを特徴とする。
【００２６】
また、請求項１５の発明は、遊技店の会員カードに記録されている会員カード情報を読取手段により読み取り、該読み取った会員カード情報に基づき会員管理手段で管理されている当該会員カードの会員情報を検索し、該検索の結果、検出された会員情報に基づいて第三者が発行管理する第三者カードの発行が可能であるか否かを判定し、該判定により第三者カードの発行が可能であると判定された場合、前記第三者カードを登録管理する第三者カード管理手段で前記読み取った会員カード情報に基づいた第三者カードの管理情報を登録し、前記第三者カード管理手段にて第三者カードの管理情報を登録した後に該第三者カード管理手段から受け取った第三者カードへ記録する記録情報を前記カード情報読取手段で会員カード情報を読み取った会員カードに記録することを特徴とする。
【００２７】
また、請求項１６の発明は、遊技店の会員カードを発行する発行手段に会員カードをセットすると共に、該発行手段にセットされた会員カードの登録者を特定する会員登録者情報を前記会員カードの会員情報を管理する会員管理手段に入力し、該入力した会員登録者情報に基づき前記発行手段にセットされた会員カードの会員情報を前記会員管理手段に登録し、第三者カードを登録管理する第三者カード管理手段で前記入力した会員登録者情報に基づいた第三者カードの管理情報を登録し、前記第三者カード管理手段にて第三者カードの管理情報を登録した後に該第三者カード管理手段から受け取った情報を前記カード情報読取手段で会員カード情報を読み取った会員カードに記録することを特徴とする。
【００２８】
【発明の実施の形態】
最初に、本発明の概要について説明する。即ち、本発明は、第三者カード発行における第三者カード管理センター側と第三者カードの申込み希望者側の双方にかかる負担を軽減することを目的とするものである。
【００２９】
そこで、本発明では、第三者カード管理センター側と第三者カードの申込む希望者側の双方にかかる負担を軽減すべく、上記遊技店の会員サービスを受ける為に該遊技店で登録発行されている会員カードの会員情報のデータを当該第三者カードの登録発行に必要な情報として第三者カード管理センター側に送信して利用することにより、簡単に第三者カードの登録発行を行うようにするものである。
【００３０】
以下の実施例では、第三者カードとして遊技ホールの会員カードと関係なしに、一般的に知られているクレジットカードシステムで用いられるクレジットカードを例にして説明するものとする。
【００３１】
以下、本発明の第三者カード発行システムおよびその第三者カード発行方法を遊技店のシステムに適用した場合の実施の形態を添付図面を参照して説明する。
【００３２】
尚、本発明では、既に遊技店内で発行されている会員カードに第三者カード機能を付加する場合の第三者カード発行システムおよびその第三者カード発行方法の実施の形態（１）と、第三者カード兼用の会員カードを新規に登録発行する場合の第三者カード発行システムおよびその第三者カード発行方法の実施の形態（２）について説明する。
【００３３】
まず、上述の［実施の形態（１）］について述べる。
【００３４】
図１は、本発明に係る第三者カード発行システムおよびその第三者カード発行方法を適用した遊技店Ａのシステム構成および第三者カード管理センターＢとの通信接続関係を示す図である。
【００３５】
図１において、遊技店Ａは、大きくは遊技場１、事務所（オフィス）２、景品交換所３から成る。
【００３６】
ここで、遊技場１は、遊技者がパチンコやスロット等の遊技を行う場である。そして、この遊技場１には、複数の島１０ａ〜１０ｎ（ｎ：正の整数）、及び計数機１１、プリペイドカード発行機１２が設置される。尚、この図１の例では、遊技対象としてパチンコの場合を例に示している。
【００３７】
各島１０ａ〜１０ｎ（ｎ：正の整数）は、複数の遊技ユニット１００と島コントローラ１１０を具える。各遊技ユニット１００は、パチンコ台等の遊技機１０１と、パチンコ玉を貸し出す台間玉貸処理機１０２と、該遊技機にて当たりが出た場合などに演出効果としてランプの点滅或いは点灯を行う台ランプ部１０３とから構成される。遊技者は、これら遊技ユニット１００のうち所望のユニットを１つ選んで遊技を行う。また、島コントローラ１１０は、例えば、ＬＡＮ（ローカルエリアネットワーク）等を介して自島の各遊技ユニット１００の遊技データ等を後述の事務所（オフィス）２に設置される管理コンピュータ（ターミナルコントローラ）２０に転送したり、その管理コンピュータ２０からの各種データを各遊技ユニット１００に転送制御する。
【００３８】
計数機１１は、遊技者が上記遊技ユニット１００で遊技して獲得した遊技媒体の総数を計数し、計数結果をバーコード等により記録したレシート等を発行する。
【００３９】
プリペイドカード発行機１２は、遊技者が上述の台間玉貸出処理機１０２にてパチンコ玉やメダル等の遊技媒体を貸し出してもらう場合に用いるプリペイドカードの販売発行を行う。
【００４０】
尚、この実施例においては、上述の台間玉貸処理機１０２は、再プレイ機能を有している。即ち、遊技者の所持する会員カードのカード情報を読み取り、後述の会員管理端末機２１との間で通信を行うことにより、該会員カードに対応付けて記録している貯玉情報に基づき遊技者の指示に応じて貯玉数内でパチンコ玉の引き出し処理を制御する。
【００４１】
また、事務所（オフィス）２は、遊技店内の監視及び管理を行う場である。そして、この事務所２には、管理コンピュータ２０及び会員管理端末機２１が設置される。管理コンピュータ２０は、上述の島コントローラ１１０及びＬＡＮ等を介して各島に設置される遊技ユニット１００の遊技データや、上記計数機１１からの各種データを受け取り、各種データベースを構築すると共に、上記遊技ユニット１００の遊技状態を管理する。また、会員管理端末機２１は、上述の島コントローラ１１０及びＬＡＮ等を介して各島に設置される遊技ユニット１００の台間玉貸処理機との間で会員カードＩＤ等の会員情報及び引き出し玉数等の再プレイ情報の送受信を行うと共に、後述の会員登録機３１との間で会員登録手続き及び第三者カード登録手続きに関する各種情報等の送受信を行う。そして、この図１の実施の形態では、会員管理端末機２１は、外部通信機能２１０を具え、この外部通信機能２１０を用いて公衆或いは専用線等の通信回線網Ｃを介して第三者カード管理センターＢとの間で第三者カード登録手続きに関する各種情報の送受信を行う。
【００４２】
また、景品交換所３は、種々の景品交換を行う場所である。そして、この景品交換所３には、景品管理端末機３０及び会員登録機（図２に外観概略構成を示す。）３１等が設置される。この景品管理端末機３０は、遊技者が持ち込んだ上記レシートに記録された計数値を読み取るハンドスキャナ等を備え、このハンドスキャナで読み取った計数値に応じて該遊技者が希望する景品に交換した場合に、交換した景品の情報を管理する端末である。また、会員登録機３１は、遊技者が会員サービスを受けるのに必要な会員カードを発行する際の会員登録手続きを行う端末であり、カード挿入口から挿入された会員カード等のカード情報を読み取ったり、該挿入されたカードにカード情報を書き込む図示しないカードリーダライタを内部に具えている。そして、この実施の形態では、上述した通常の会員カードの会員登録手続き以外に、既に会員登録されている会員カードに第三者カードの機能を付加する場合の登録手続きを行う機能と、第三者カード機能を付加した新規の会員カードの登録手続きを行う機能を有する。また、この実施例では、第三者カード機能を会員カードに付加する場合に必要な身分証明用データを読み取る入力手段としてイメージスキャナを具えている（図２参照）。
【００４３】
尚、上記実施例では、遊技場１に設置される遊技機としてパチンコ台のみを示しているが、本発明はこれに限らず、スロット台を導入したシステムにも適用可能である。
【００４４】
次に、上記図１に示す遊技店Ａのシステム構成における本発明の第三者カード登録手続きの仕組みについて説明する。
【００４５】
図３は、図１に示した遊技店Ａのシステムにおいて、既に登録発行されている会員カードに第三者カード機能を付加する場合の第三者カード登録処理手順を示すフローチャートである。
【００４６】
尚、以下の説明では、既に遊技店で登録発行されている会員カードとして、会員登録者の氏名や住所等の会員登録者を特定する情報を記録せず、当該会員カードを識別する識別情報即ち会員カードＩＤを会員カード情報として記録している会員カード（Ａ）（図４参照）を利用する場合を例にして説明する。
【００４７】
図３において、まず、会員登録機３１において、店員或いは会員カードの所持者により既に登録発行されている会員カード（Ａ）がカード挿入口（図２参照）から挿入される（Ｓ１０１）。すると、この会員登録機３１は、挿入された会員カード（Ａ）のカード情報（例えば、会員カードＩＤとして「９０００１」の番号情報）を読み取る（Ｓ１０２）。その後、会員カード所持者の希望により第三者カード発行要求操作が行われると（Ｓ１０３）、次いで、該会員カード所持者の身分を証明する為のデータが入力される（Ｓ１０４）。即ち、第三者カード管理センターＢ側で、第三者カードの発行が可能であるかどうかを判断する為に利用される身分証明用データが入力される。具体的には、図２に示すように、会員登録機３１に設置されるイメージスキャナ３１−４等にて該会員カード所持者の免許証や保険証等のデータが読み取り入力される。その後、会員登録機３１は、会員管理端末機２１に対して第三者カード発行要求を行う（Ｓ１０５）。尚、会員登録機３１は、その第三者カード発行要求時に読み取り入力した身分証明用データと読み取った会員カード情報の会員カードＩＤを会員管理端末機２１に対して送信する。
【００４８】
すると、会員管理端末機２１は、その第三者カード発行要求を受信すると（Ｓ１０６）、該第三者カード発行要求と共に受信した会員カードＩＤに基づいて登録されている会員情報を検索し、該検索した会員情報と上記受信した身分証明用データと共に第三者カード発行要求を第三者カード管理センターＢに送信する（Ｓ１０７）。具体的に例えば、受信した会員カードＩＤに従って該会員カードＩＤに対応付けて登録保持している会員登録者の氏名および住所を特定する会員登録者情報［図５（ａ）参照］を検索し、この検索の結果検出された会員登録者情報を添付した第三者カード発行要求を第三者カード管理センターＢに送信する。例えば、図５（ａ）を参照して、会員登録機３１から受け取った会員カードＩＤが「９０００１」（ア）であるとすると、その会員カードＩＤ「９０００１」に対応付けて登録している登録者の氏名「遊技  ○男」（イ）と住所「東京都中央区ＢＢＢ」（ウ）を示す情報を第三者カード発行要求に添付する。
【００４９】
一方、第三者カード管理センターＢでは、通信回線網Ｃを介して会員管理端末機２１から第三者カード発行要求を受信すると（Ｓ１０８）、第三者カードの登録発行が可能であるか否かの判定を行う（Ｓ１０９）。具体的には、登録発行が可能であるか否かとして、受け取った会員情報及び身分証明用データに基づき、（ｉ）所定の条件（例えば、年齢や、所在の確認取り）を満足するか否かの判定を行い、所定の条件を満足すれば該第三者カードの登録発行を許可し、他方、所定の条件を満足しなければ該第三者カードの登録発行を禁止する判断を行う。また、その他、（ｉｉ）重複登録のチェックも行い、重複でなければ登録発行を許可し、他方、重複であれば登録発行を禁止する判断を行う。更に、（ｉｉｉ）受け取った身分証明用データと会員情報とを比較し、同一人物であれば登録発行を許可し、他方、同一人物でなければ登録発行を禁止する判断を行う。そして、その判定の結果、登録発行可能であると判定されると（Ｓ１０９ＹＥＳ）、次いで、第三者カード管理センターＢでは、第三者カードの管理情報を登録する（Ｓ１１０）。例えば、重複しない固有の第三者カードＩＤを算出して設定すると共に、該設定した第三者カードＩＤと対応付けて会員管理端末機２１から受け取った会員カードの登録者の氏名及び住所等の会員登録者情報を第三者カードの保有者情報（図６（ｂ））として登録する。例えば、第三者カード管理センターＢが、図６（ａ）に示すような第三者カードの保有者情報を保持していた場合に、会員管理端末機３１から第三者カードの登録発行を希望する会員カード登録者の氏名情報「遊技  ○男」と住所情報「東京都中央区ＢＢＢ」とを受け取り、登録発行が可能であると判断し、固有の第三者カードＩＤとして「１０００１」を算出して設定したとすると、この第三者カードＩＤ「１０００１」に対応付けて上記受け取った会員カードの会員登録者の氏名情報「遊技  ○男」および住所情報「東京都中央区ＢＢＢ」を第三者カード保有者情報（エ）として登録し、同図６（ｂ）に示すような第三者カードの管理情報を保持する。そして、その第三者カード管理情報の登録後、第三者カード管理センターＢは、通信回線網Ｃを介して該当する会員管理端末機２１に所定の第三者カード管理情報を送信する（Ｓ１１１）。例えば、上述の設定登録した第三者カードＩＤ（例えば、「１０００１」）を送信する。
【００５０】
これに対し、会員管理端末機２１は、通信回線網Ｃを介して送信されてきた第三者カード管理情報を受信すると（Ｓ１１２ＹＥＳ）、該受信した第三者カード管理情報を既に登録している該当会員カードＩＤと対応付けて登録する（Ｓ１１３）。例えば、会員管理端末機２１が同図５（ａ）に示すような会員情報を保持していた場合に、第三者カード管理センターＢから当該第三者カードの登録発行要求を行った会員カードのＩＤ「９０００１」に対応した第三者カードＩＤ「１０００１」を受け取ったとすると、その会員カードＩＤ「９０００１」に対応付けてその第三者カードＩＤ「１０００１」（オ）を登録し、同図５（ｂ）に示すような会員情報を保持する。そして、その登録更新が完了した後、会員管理端末機２１は、会員登録機３１に対して第三者カード管理情報及び登録完了通知を送信する（Ｓ１１４）。例えば、第三者カード管理情報として第三者カードＩＤ（例えば、「１０００１」）を登録完了通知と共に送信する。
【００５１】
これに対し、会員登録機３１では、第三者カード管理情報（例えば、第三者カードＩＤ）及び登録完了通知を受信すると（Ｓ１１５）、現在挿入している会員カード（Ａ）に該受信した第三者カード管理情報（例えば、第三者カードＩＤ）を記録する（Ｓ１１６）。そして、第三者カード管理情報（例えば、第三者カードＩＤ）の記録が完了した後、該会員カードを返却する（Ｓ１１７）。例えば、図４に示す会員カードＩＤ「９０００１」を記録した会員カードＡが第三者カードの登録発行対象として挿入されいた場合に、当該第三者カードの登録要求に対応して受信した第三者カードＩＤが「１０００１」であるとすると、図７に示すような会員カードＩＤ「９０００１」と第三者カードＩＤ「１０００１」をＩＣチップ等に記録した会員カードＡ’が返却される。即ち、第三者カード機能が付加された会員カードが発行される。
【００５２】
それ以降、このような処理により発行された会員カードをクレジットカードシステム等の専用端末でクレジットカード等の第三者カードとして利用することができる。
【００５３】
また、他方、上述のＳ１０９の判定の結果、登録発行が不可能であると判定された場合、即ち、所定の条件を満足しない場合や重複登録になる場合、若しくは同一人物でない場合等には（Ｓ１０９ＮＯ）、会員管理端末機２１に第三者カードの登録を拒否する旨を通知する為の登録拒否通知を行う（Ｓ１１８）。一方、会員管理端末機２１は、第三者カード発行要求を送信した後に登録拒否通知を受け取ると（Ｓ１１９ＹＥＳ）、会員登録機３１に第三者カードの登録が拒否された旨を通知する為の登録拒否通知を行う（Ｓ１２０）。これにより、会員登録機３１は、第三者カード発行要求を送信した後に登録拒否通知を受け取ると（Ｓ１２１ＹＥＳ）、表示部３１−１（図２参照）に第三者カードの登録が拒否された旨を通知する為の登録拒否表示を行う（Ｓ１２２）。そして、現在挿入している第三者カード未登録の会員カードの返却を行う（Ｓ１１７）。具体的に、第三者カード管理センターＢから通知される登録拒否通知に具体的な拒否理由を付加し、その拒否理由に応じて会員登録機３１で表示を切り替えるようにし、例えば、年齢等の所定の条件を満足しない為に拒否された理由であった場合には、「所定の年齢でない為登録できません。」等の表示を行うようにする。
【００５４】
尚、上記図３の実施例では、既に登録済みの会員カードとして、会員カードＩＤのみを会員カード情報として記録した会員カードＡ（図４参照）を例に示したが、本発明はこれに限らず、この他、会員カード情報として会員カードＩＤ以外に、会員登録者の氏名や住所を特定する情報も記録した会員カードＢ（図８参照）を適用しても良いものとする。尚、この場合の処理として上述の図３の実施例と異なる点は、Ｓ１０７の第三者カード発行要求送信の処理において、会員登録機３１から受信した会員登録者情報をそのまま第三者カード発行要求に添付して送信すれば良く、会員管理端末機２１にて登録保持している会員登録者情報を検索処理しなくても良い。尚、この場合、第三者カード機能が付加された場合の構成を図９に示す。即ち、第三者カードのＩＤが記録された構成を示している。
【００５５】
次に、上記［実施の形態（１）］の各種変形例について図１０乃至図１８を用いて説明する。
【００５６】
まず、図１０は、上述の図３の登録処理フローと異なる点として、第三者カード管理センターＢで登録発行が可能か否かを判定する前に、遊技店側で重複登録をチェックするようにしたものである。そして、この場合特に、その重複登録のチェックを会員登録機３１で行う場合を示している。
【００５７】
具体的には、上述の図３の処理フローのＳ１０３の後にＳ１２３’が追加され、更にＳ１２４’が追加されている。即ち、この図１０の処理フローでは、遊技店の会員登録機３１にて当該挿入された会員カードに既に第三者カード機能が付加されているか否かを判定する処理（Ｓ１２３’）が追加されたことにより、遊技店側で第三者カード機能の付加対象として会員登録機３１に挿入された会員カードに既に第三者カード機能が付加されていると判定した場合には、上述の図３の処理フローのように常に第三者カード管理センターＢに第三者カード発行要求を行うものに比べて、無駄に第三者カード発行要求を行わなくても済むようになる。尚、具体的に図１０に則して説明すると、第三者カード機能の付加対象として会員登録機３１に挿入された会員カードに未だ第三者カード機能が付加されていないと判定された場合に（Ｓ１２３’ＮＯ）、上述の図３に示した処理Ｓ１０４以降の処理に相当するＳ１０４’以降の処理を行い、他方、第三者カード機能の付加対象として会員登録機３１に挿入された会員カードに既に第三者カード機能が付加されていると判定した場合（Ｓ１２３’ＹＥＳ）には、会員登録機３１にて登録済み表示を行い（Ｓ１２４’）、その後、挿入されている会員カードの返却処理を行う（Ｓ１１７）。
【００５８】
尚、この図１０の処理で、会員登録機３１にて当該挿入された会員カードに既に第三者カード機能が付加されているか否かを判定する方法としては、当該会員カードから読み取った会員カード情報に基づいて第三者カード管理情報（例えば、第三者カードＩＤ）が当該会員カードに記録されているかどうかで判断する。即ち、第三者カード管理情報（例えば、第三者カードＩＤ）が記録されていれば、当該挿入された会員カードに既に第三者カード機能が付加されていると判定し、他方、第三者カード管理情報（例えば、第三者カードＩＤ）が記録されていなければ、当該挿入された会員カードに未だ第三者カード機能が付加されていないと判定する。
【００５９】
また、その他の処理動作については上述の図３と同様であるのでここでの説明は省略する。
【００６０】
次に、図１１は、上記図１０の変形例であり、上述の重複登録のチェックを会員管理端末機２１で行う場合を示している。
【００６１】
具体的には、上述の図３の処理フローのＳ１０６の後にＳ１２５”が追加され、これにより、更にＳ１２６”、Ｓ１２７”、Ｓ１２８”が追加されている。即ち、この図１１の処理フローでは、遊技店の会員管理端末機３１にて当該会員登録機３１に挿入された第三者カード機能付加対象の会員カードに既に第三者カード機能が付加されているか否かを判定する処理（Ｓ１２５”）が追加されたことにより、遊技店側で第三者カード機能の付加対象として会員登録機３１に挿入された会員カードに既に第三者カード機能が付加されていると判定した場合には、上述の図３の処理フローのように常に第三者カード管理センターＢに第三者カード発行要求を行うものに比べて、無駄に第三者カード発行要求を行わなくても済むようになる。尚、具体的に図１１に則して説明すると、会員管理端末機２１において、会員登録機３１から第三者カード発行要求を受信した際（Ｓ１０６”）、第三者カード機能の付加対象として会員登録機３１に挿入された会員カードに未だ第三者カード機能が付加されていないと判定した場合に（Ｓ１２５”ＮＯ）、上述の図３に示した処理Ｓ１０７以降の処理に相当するＳ１０７”以降の処理を行い、他方、会員登録機３１から第三者カード発行要求を受信した場合（Ｓ１０６”）、第三者カード機能の付加対象として会員登録機３１に挿入された会員カードに既に第三者カード機能が付加されていると判定した場合には（Ｓ１２５”ＹＥＳ）、会員登録機３１に登録済み通知を送信し（Ｓ１２６”）、会員登録機３１にてその登録済み通知を受信した場合に（Ｓ１２７”）、表示部３１−１に登録済み表示を行い（Ｓ１２８”）、その後、現在挿入されている会員カードの返却を行う（Ｓ１１７”）。
【００６２】
尚、会員管理端末機２１にて当該挿入された会員カードに既に第三者カード機能が付加されているか否かを判定する方法として、この図１１のフローでは、会員登録機３１から送られてきた会員カード情報に基づき第三者カード管理情報（例えば、第三者カードＩＤ）が当該会員カードに記録されているかどうかで判断しても良いし、上記会員カード情報に基づき該会員カード情報に含まれる会員カードＩＤに対応付けて会員管理端末機２１で第三者カード管理情報（例えば、第三者カードＩＤ）が登録されているかどうかで判断するようにしても良い。
【００６３】
また、その他の処理動作については上述の図３と同様であるのでここでの説明は省略する。
【００６４】
次に、上述の図３の変形例として、第三者カード管理センターＢに第三者カード発行要求を行うのが会員管理端末機２１でなく会員登録機３１が直接行う場合について図１２乃至図１８を用いて説明する。
【００６５】
図１２は、会員登録機３１が直接第三者カード管理センターＢに第三者カード発行要求を行う場合の遊技店のシステム構成を示す図であり、上述の図１の構成と比較し、第三者カード管理センターＢと通信を行う為の外部通信機能を会員管理端末機２１ではなく会員登録機３１が持つようにした点が異なっている。
【００６６】
図１３は、上述の図１２のシステムにおいて、上述の図３の登録フローと異なり、会員登録機３１が直接第三者カード管理センターＢに第三者カード発行要求を行う場合の登録処理フローを示す図であり、特に、この場合、会員カードとして図８に示すような会員カードＩＤ及び会員登録者情報を記録したものを利用する場合を示している。尚、この図１３の処理では、処理Ｓ２０１〜処理Ｓ２０５の処理と、上述の図３の処理Ｓ１０１〜Ｓ１０４までの処理とは同じであるので以下の説明では省略する。
【００６７】
そこで、図１３の処理において、Ｓ２０４の処理後、会員登録機３１は、第三者カード管理センターＢ２１に対して第三者カード発行要求を行う（Ｓ２０５）。尚、会員登録機３１は、その第三者カード発行要求送信時に読み取り入力した身分証明用データと読み取った会員カード情報を添付して通信回線網Ｃを介して第三者カード管理センターＢに対して送信する。
【００６８】
すると、第三者カード管理センターＢでは、通信回線網Ｃを介して会員登録機３１から第三者カード発行要求を受信すると（Ｓ２０６）、第三者カードの登録発行が可能であるか否かの判定を行う（Ｓ２０７）。具体的には、上述の図３で説明したような判定を行う。そして、その判定の結果、登録発行可能であると判定されると（Ｓ２０７ＹＥＳ）、次いで、第三者カード管理センターＢでは、第三者カードの管理情報を登録する（Ｓ２０８）。具体的には、上述の図３で説明したような第三者カードの管理情報を登録する。そして、その第三者カード管理情報の登録後、第三者カード管理センターＢは、通信回線網Ｃを介して該当する会員登録機３１に所定の第三者カード管理情報（例えば、第三者カードＩＤ）を送信する（Ｓ２０９）。
【００６９】
これに対し、会員登録機３１は、通信回線網Ｃを介して送信されてきた第三者カード管理情報を受信すると（Ｓ２１０ＹＥＳ）、会員管理端末機２１に対して第三者カード発行要求を送信する（Ｓ２１１）。具体的には、この第三者カード発行要求時に前処理ステップで読み取った会員カード情報と受信した第三者カード管理情報を添付した第三者カード発行要求を会員管理端末機２１に送信する。
【００７０】
これに対し、会員管理端末機２１では、上記第三者カード発行要求を受信すると（Ｓ２１２ＹＥＳ）、該発行要求と共に受信した会員カードＩＤに基づき、同じく受信した第三者カード管理情報を既に登録している該会員カードＩＤと対応付けて会員情報の登録更新を行う（Ｓ２１３）。そして、この登録更新が完了した後、会員管理端末機２１は、会員登録機３１に対して会員登録完了通知を送信する（Ｓ２１４）。
【００７１】
これに対し、会員登録機３１では、会員登録完了通知を受信すると（Ｓ２１５ＹＥＳ）、第三者カード管理センターＢから受信した第三者カード管理情報（例えば、第三者カードＩＤ）を現在挿入している会員カードに記録する（Ｓ２１６）。そして、第三者カード管理情報（例えば、第三者カードＩＤ）の記録が完了した後、該会員カードを返却する（Ｓ２１７）。即ち、第三者カード機能を付加した会員カードを排出することにより、第三者カードを発行する。
【００７２】
また、他方、上述のＳ２０７の判定の結果、登録発行が不可能であると判定された場合、即ち、所定の条件を満足しない場合や重複登録になる場合、若しくは同一人物でない場合等には（Ｓ２０７ＮＯ）、会員登録機３１に第三者カードの登録を拒否する旨を通知する為の登録拒否通知を行う（Ｓ２１８）。一方、会員登録機３１は、第三者カード発行要求を送信した後に登録拒否通知を受け取ると（Ｓ２１９ＹＥＳ）、表示部３１−１に第三者カードの登録が拒否された旨の表示を行い（Ｓ２２０）、その後、現在挿入している会員カードの返却を行う（Ｓ２１７）。
【００７３】
また、図１４は、上述の図１３の登録フローと異なる点として、会員カードとして図４に示すような会員カードＩＤのみを記録したものを利用する場合を示している。従って、この処理では、上述の図１３に示したものに比べ、上述の図１３のＳ２０４の処理の後に、Ｓ２２１’の処理が追加され、これにより、更に、Ｓ２２２’、Ｓ２２３’、Ｓ２２４’が追加された構成となっている。
【００７４】
即ち、この図１４の処理では、会員カードが会員カードＩＤしか保持していないので第三者カード発行要求を第三者カード管理センターＢに送信する前に、会員管理端末機２１から当該読み取った会員カードＩＤに対応付けて登録保持している会員情報（例えば、会員登録者を特定する氏名や住所等の情報）を受け取る処理が追加されている。
【００７５】
尚、その他の処理については上述の図１３の処理と同様であるのでここでの処理は省略する。
【００７６】
また、図１５は、上述の図１３の変形例であり、上述の図１３の構成に上述の図１０に示した第三者カード管理センターＢで登録発行が可能か否かを判定する前に、遊技店の会員登録機３１で重複登録をチェックする処理（Ｓ１２３’及びＳ１２４’）に相当する処理Ｓ２２５ａ及びＳ２２６ａを追加したものである。即ち、この登録処理フローでは、上述の図１３のフローのＳ２０３の処理の後に、上述の図１０に示したＳ１２３’と同様の処理Ｓ２２５ａを追加し、この処理で、当該挿入された会員カードが未だ第三者カード機能が付加されていないと判定された場合に（Ｓ２２５ａ  ＮＯ）、上述の図１３に示したＳ２０４以降の処理と同様のＳ２０４ａ以降の処理を行い、他方、当該挿入された会員カードに既に第三者カード機能が付加されているとと判定された場合には（Ｓ２２５ａ  ＹＥＳ）、登録済み表示を行い（Ｓ２２６ａ）、該挿入している会員カードの返却処理を行う（Ｓ２１７ａ）ようにしたものである。
【００７７】
また、図１６は、上述の図１４の変形例であり、上述の図１４の構成に上述の図１０に示した第三者カード管理センターＢで登録発行が可能か否かを判定する前に、遊技店の会員登録機３１で重複登録をチェックする処理（Ｓ１２３’及びＳ１２４’）に相当する処理Ｓ２２７ｂ及びＳ２２８ｂを追加したものである。即ち、この登録処理フローでは、上述の図１４のフローのＳ２０３’の処理の後に、上述の図１０に示したＳ１２３’と同様の処理Ｓ２２７ｂを追加し、この処理で、当該挿入された会員カードが未だ第三者カード機能が付加されていないと判定された場合に（Ｓ２２７ｂ  ＮＯ）、上述の図１４に示したＳ２０４’以降の処理と同様のＳ２０４ｂ以降の処理を行い、他方、当該挿入された会員カードに既に第三者カード機能が付加されていると判定された場合には（Ｓ２２７ｂ  ＹＥＳ）、登録済み表示を行い（Ｓ２２８ｂ）、該挿入している会員カードの返却処理を行う（Ｓ２１７ｂ）ようにしたものである。
【００７８】
また、図１７は、上述の図１３の変形例であり、上述の図１３の構成に上述の図１１に示した第三者カード管理センターＢで登録発行が可能か否かを判定する前に、遊技店の会員管理端末機２１で重複登録をチェックする処理を盛り込むようにしたものである。具体的には、図１１の処理Ｓ１２５”乃至Ｓ１２８”に相当する処理Ｓ３１３、Ｓ３１６、Ｓ３１７、Ｓ３１８を追加すると共に、図１３の構成に適用する為に処理Ｓ３１４及びＳ３１５を追加したものである。尚、この場合は、利用される会員カードとして上述の図８に示した会員カードＩＤ及び会員登録者情報を記録した会員カードを使用する場合を例にしている。
【００７９】
即ち、この登録処理フローでは、上述の図１３のフローのＳ２０３の処理の後に、上述の図１１に示したＳ１２５”と同様の処理Ｓ３１３を追加し、この処理で、当該挿入された会員カードに既に第三者カード機能が付加されていると判定した場合に（Ｓ３１３ＹＥＳ）、会員登録機３１に登録済み通知を送信し（Ｓ３１６）、会員登録機３１が該登録済み通知を受信すると（Ｓ３１７ＹＥＳ）、表示部３１−１に登録済み表示を行い（Ｓ３１８）、その後、当該挿入されている会員カードを返却する（Ｓ３１７）。また、他方、当該挿入された会員カードに未だ第三者カード機能が付加されていないと判定した場合（Ｓ３１３ＮＯ）、会員管理端末機２１が会員登録機３１に未登録通知を送信し（Ｓ３１４）、これにより、会員登録機３１が未登録通知を受信すれば（Ｓ３１５ＹＥＳ）、上述の図１３に示したＳ２０５以降の処理に相当するＳ３０５以降の処理を行う。
【００８０】
また、図１８は、上述の図１７の変形例であり、この場合、利用される会員カードとして上述の図４に示した会員カードＩＤのみ記録した会員カードを利用する場合の処理を示している。その為、この図１８では、上述の図１７の処理と比べて、Ｓ３２４’において、会員管理端末機２１が会員登録機３１に挿入されている会員カードのＩＤに基づき該当する会員情報を検索して該会員登録機３１に送信する点と、それにより、会員登録機３１がＳ３２５’において、未登録通知と共に会員情報を受信する点が異なる。
【００８１】
次に、上述の［実施の形態（２）］について述べる。
【００８２】
図１９は、第三者カード兼用の会員カードを新規に登録発行する場合の登録処理を示すフローチャートである。尚、この場合、会員登録機３１にセットされる会員カードには景品交換所３等に用意されており予め会員カードＩＤが記録されているものを用いる。また、この場合は、会員管理端末機２１が第三者カード管理センターＢに第三者カード発行要求を行う場合を示している。
【００８３】
図１９において、まず、会員登録機３１において、通常、店員等により既に会員カードＩＤが記録されている会員カードがカード挿入口（図２参照）から挿入される（Ｓ４０１）。すると、この会員登録機３１は、挿入された会員カードのカード情報（会員カードＩＤ）を読み取る（Ｓ４０２）。その後、会員カードの登録希望者により第三者カード機能を付加する要求操作が行われると（Ｓ４０３ＹＥＳ）、次いで、図２０に示すような予め会員カード登録希望者により記入された会員申込書のデータと、該会員カード登録希望者の身分を証明する為のデータが入力される（Ｓ４０４）。その後、会員登録機３１は、会員管理端末機２１に対して第三者カード兼用の会員カードの発行要求を行う（Ｓ４０５）。尚、会員登録機３１は、その第三者カード発行要求時に読み取った会員カードＩＤを会員申込書データと身分証明用データと共に第三者カード発行要求を会員管理端末機２１に対して送信する。
【００８４】
これに対し、会員管理端末機２１は、その第三者カード兼用の会員カード発行要求を受信すると（Ｓ４０６）、第三者カード管理センターＢに第三者カード発行要求を送信する（Ｓ４０７）。尚、会員管理端末２１は、その第三者カード発行要求時に会員申込書データと身分証明用データと共に第三者カード発行要求を第三者カード管理センターＢに対して送信する。
【００８５】
第三者カード管理センターＢでは、第三者カード発行要求を受信すると（Ｓ４０８）、上述の図３に示した方法と同様にして登録発行が可能であるか否かを判定する（Ｓ４０９）。この判定の結果、登録が可能であると判定された場合（Ｓ４０９ＹＥＳ）、所定の第三者カード管理情報（例えば、第三者カードＩＤおよび第三者カードの保有者情報）を登録し（Ｓ４１０）、所定の第三者カードの管理情報（例えば、第三者カードＩＤ）を該当する会員管理端末機２１に対して送信する（Ｓ４１１）。
【００８６】
これに対し、会員管理端末機３１では、第三者カード発行要求を送信した後、第三者カード管理情報（例えば、第三者カードＩＤ）を受信すると（Ｓ４２０ＹＥＳ）、上記会員登録機３１から受信した会員カードＩＤに対応付けて同じく受信した会員申込書データに基づく会員登録者情報と、第三者カード管理センターＢから受信した第三者カードの管理情報（例えば、第三者カードＩＤ）を会員情報として登録する（Ｓ４１３）。その後、会員情報の登録通知と共に第三者カードの管理情報（例えば、第三者カードＩＤ）を会員登録機３１に送信する（Ｓ４１４）。
【００８７】
これに対し、会員登録機３１では、会員カードの発行要求を送信した後、第三者カード管理情報（例えば、第三者カードＩＤ）及び会員情報登録通知を受信すると（Ｓ４１５ＹＥＳ）、該受信した第三者カード管理情報（例えば、第三者カードＩＤ）を現在挿入している会員カードに記録し（Ｓ４１６）、該記録後に、会員カードを排出する（Ｓ４１７）。即ち、第三者カード機能が付加された会員カードを発行する。
【００８８】
それ以降、このような処理により発行された会員カードをクレジットカードシステム等の専用端末でクレジットカード等の第三者カードとして利用することができると共に、遊技店内において会員カードとしても利用することができる。
【００８９】
また、他方、上述のＳ４０３の判定の結果、会員カードの登録希望者により第三者カード機能を付加する要求操作が行われず、会員カード機能のみの発行要求操作が行われた場合には（Ｓ４０３ＮＯ）、予め会員登録希望者により記入されている会員申込書のデータが入力され（Ｓ４１８）、その後、会員管理端末機２１に対して会員カードのみの登録要求が送信される（Ｓ４１９）。尚、この時、会員登録機３１は、上記読み取った会員カードのＩＤと上記入力した会員申込書データを添付して会員カードのみの登録要求を行う。これに対し、会員管理端末機２１では、Ｓ４０６でＮＯとなり、会員カードのみの登録要求を受信し（Ｓ４２０ＹＥＳ）、会員カードのみの登録を行う（Ｓ４２１）。即ち、受け取った会員カードＩＤに対応付けて同じく受け取った会員申込書のデータに基づき会員情報を登録する。この登録が完了した後、会員管理端末機２１は会員登録機３１に対して会員情報の登録が完了した通知を送信する（４２２）。これに対し、会員登録機３１では、会員登録完了通知を受信すると、登録済みの会員カードを発行する（Ｓ４１７）。即ち、この場合、第三者カードの登録をせず、会員カードの登録のみした会員カードが発行される。
【００９０】
また、他方、上述のＳ４０９の判定の結果、登録発行が不可能であると判定された場合、即ち、所定の条件を満足しない場合や重複登録になる場合、若しくは同一人物でない場合等には（Ｓ４０９ＮＯ）、会員管理端末機２１に第三者カードの登録を拒否する旨を通知する為の登録拒否通知を行う（Ｓ４２３）。一方、会員管理端末機２１は、第三者カード発行要求を送信した後に登録拒否通知を受け取ると（Ｓ４２４ＹＥＳ）、会員登録機３１に第三者カードの登録が拒否された旨を通知する為の登録拒否通知を行う（Ｓ４２５）。これにより、会員登録機３１は、第三者カード発行要求を送信した後に登録拒否通知を受け取ると（Ｓ４２６ＹＥＳ）、表示部３１−１に第三者カードの登録が拒否された旨を通知すると共に、会員カードのみの登録でよいかの表示を行う（Ｓ４２７）。この表示により、会員カードの登録希望者により会員カードのみの登録を要求する操作が行われた場合（Ｓ４２８  ＯＫ）、会員カードのみの発行要求を会員管理端末機２１に送信する（Ｓ４２９）。これ以降、上述のＳ４０６に戻って以下同様の処理を行う。また、他方、上記表示により、会員登録希望者により会員カードのみの発行もしない操作が行われた場合（Ｓ４２８  ＮＧ）、未登録会員カードの返却を行って（Ｓ４３０）、待機状態に遷移する。即ち、会員登録も第三者カードの登録もしていない挿入される前の状態の会員カードがそのまま返却される。
【００９１】
また、図２１は、上記図１９の変形例であり、この場合、会員登録機３１にセットされる会員カードには予め会員カードＩＤが記録されておらず、会員カードを発行する際に、会員管理端末機２１で会員カードＩＤを算出する場合を示している。
【００９２】
図２１において、上述の図１９と処理が異なる点は、図１９の処理Ｓ４０２の処理を削除した点と、会員管理端末機２１で会員情報を登録する際に、所定の条件に従って会員カードＩＤを算出して登録し、該登録した会員カードＩＤを会員登録機３１に送信する点と、該会員登録機３１にて会員カードＩＤを記録する点が異なる。
【００９３】
即ち、Ｓ４１３’及びＳ４１４’と、Ｓ４２１’及びＳ４２２’と、Ｓ４１５’及びＳ４１６’の処理が異なり、更に、Ｓ４３１’及びＳ４３２’の処理が追加された点が異なる。
【００９４】
具体的には、Ｓ４１３’及びＳ４１４’において、会員管理端末機２１は、第三者カード機能を付加した会員カードの登録に際して、所定の条件に従って会員カードＩＤを設定し、該設定した会員カードＩＤに対応付けて受信した会員申込書データに基づく会員登録者情報を登録すると共に、受信した第三者カード管理情報（例えば、第三者カードＩＤ）を登録する。この登録後、第三者カード管理情報と登録した会員カードＩＤと共に登録完了通知を会員登録機３１に送信する。また、Ｓ４２１’およびＳ４２２’において、会員管理端末機２１は、会員カードのみの登録に際して、所定の条件に従って会員カードＩＤを設定し、該設定した会員カードＩＤに対応付けて会員申込書データに基づく会員登録者情報を登録する。そして、この登録後に、その登録した会員カードＩＤと共に会員登録完了通知を会員登録機３１に送信する。また、Ｓ４１５’およびＳ４１６’において、会員登録機３１は、会員管理端末機２１から第三者カード管理情報（例えば、第三者カードＩＤ）と会員カードＩＤと共に登録完了通知を受信すると（Ｓ４１５’ＹＥＳ）、受信した第三者カード管理情報（例えば、第三者カードＩＤ）および会員カードＩＤ現在挿入している会員カードに記録する。また、Ｓ４３１’およびＳ４３２’において、会員登録機３１は、会員管理端末機２１から第三者カード管理情報と会員カードＩＤと共の会員登録完了通知を受信せず（Ｓ４１５’ＮＯ）、会員カードＩＤと登録完了通知を受信すると（Ｓ４３１’ＹＥＳ）、現在挿入している会員カードに会員カードＩＤのみ記録する。
【００９５】
図２２及び図２３は、上述の図１９及び図２１に示す登録処理フローの変形例であり、この場合、会員管理端末機２１が第三者カード管理センターＢに第三者カード登録要求を行うのではなく、会員登録機３１が直接第三者カード管理センターＢに第三者カード登録要求を行う場合を示している。
【００９６】
即ち、図２２が、上述の図１９の、会員登録機３１にセットされる会員カードとして予め会員カードＩＤが記録されている場合の処理において、会員管理端末機２１が第三者カード管理センターＢに第三者カード登録要求を行うのではなく、会員登録機３１が直接第三者カード管理センターＢに第三者カード登録要求を行うようにした場合の処理を示し、図２３が、上述の図２１の、会員登録機３１にセットされる会員カードとして会員カードＩＤが記録されておらず、会員管理端末機２１で会員情報を登録する際に会員カードＩＤを算出して設定し、会員登録機３１にセットされた会員カードに該会員管理端末機２１で設定された会員カードＩＤを記録してから会員カードを発行する場合の処理において、会員管理端末機２１が第三者カード管理センターＢに第三者カード登録要求を行うのではなく、会員登録機３１が直接第三者カード管理センターＢに第三者カード登録要求を行うようにした場合の処理を示している。
【００９７】
最後に、上述してきた実施例では、第三者カード管理センターに送信する会員情報の一例として、会員カードの登録者を特定する氏名および住所等の会員登録者情報を示し、該第三者カード管理センターで第三者カードの登録者を特定する氏名および住所等の保有者情報を登録するようにしているが、これに限らず、遊技店の会員情報のうち第三者カード管理センター側で登録する第三者カード管理情報として流用できる情報であればその他の情報でも良いものとする。
【００９８】
また、上記実施例では、第三者カードに記録する第三者カード特有の情報として、該第三者カード特有情報の一部である第三者カードＩＤのみを示しているが、これ以外に、第三者カード特有の情報を第三者カード管理センターから受信して記録するようにしても良い。
【００９９】
また、上記実施例では、第三者カードが一種類だけの場合を示しているが、これ以外にも、複数の第三者カード機能を付加可能な構成にしても良い。
【０１００】
また、上記実施例では、第三者カード管理センターＢが一つの遊技店と第三者カード登録の為の通信を行うように示しているが、実際には、複数の遊技店との間で通信を行うものである。
【０１０１】
また、本発明では第三者カードを発行するので、必要であれば会員登録機にて契約書データを表示させ、登録者に契約書に同意した等の承認ボタンの押下選択を行わせたり、上記スキャナ等で身分証明書データを入力する以外に承認印やサイン等のデータを入力するようにしても良い。
【０１０２】
また、上記実施例の登録処理により第三者カード機能が付加された会員カードが第三者カード機能が付加されたことを遊技者等が目で確認できるように、登録が完了した会員カードに第三者カードの種別を示す名称が記録されたシールを添付するようにしても良い。この場合、会員登録機３１で第三者カードの登録完了後の会員カードを返却する際に、該シールを会員登録機内で自動的に添付してから返却する。または、カード挿入口から返却された会員カードに予め用意しているシールを店員が貼ってから遊技者に手渡す。更には、店員が遊技者に予め用意しているシールを渡して、遊技者自らがカード挿入口から返却された第三者カードに貼るようにしても良い。
【０１０３】
また、上述のクレジットカード等の第三者カードは第三者カードＩＤを記憶できれば良く、カードの機能は問わない。
【０１０４】
また、上記実施例では、第三者カードとして一般的に良く知られているクレジットカードを例にして説明したが、これ以外に、例えば、未成年者がタバコ自動販売機でタバコを購入して喫煙するのを防ぐ為のタバコ自動販売機システムで用いられる通称タバコカードと呼ばれるものを対象としても良い。このタバコカードは、成人であることが証明された喫煙希望者にのみ登録発行されるものであり、上記タバコ自動販売機システムの専用のタバコ自動販売機でタバコを購入する際に必須となるものである。
【０１０５】
また、会員管理端末機２１と会員登録機３１を一つの筐体内に収容し、一体化構成としても良い。
【０１０６】
【発明の効果】
以上説明したように、本発明によれば、遊技店の会員情報のうち第三者カードを発行する際に第三者カード管理センター側で登録する必要のある管理情報として流用可能な情報を該第三者カード管理センターに送信して利用することにより第三者カードを登録発行するようにしたため、第三者カード発行における第三者カード管理センター側と第三者カードの申込み希望者側の双方にかかる負担を軽減することが可能となる。
【図面の簡単な説明】
【図１】遊技店のシステム構成を示す図。
【図２】図１に示した会員登録機の一構成例を示す図。
【図３】本発明における第三者カード発行処理を示すフローチャート。
【図４】会員カードの一構成例を示す図。
【図５】会員管理端末機にて登録される会員情報の一構成例を示す図。
【図６】第三者カード管理センターで管理する第三者カード管理情報の一構成例を示す図。
【図７】図４に示す会員カードに第三者カード機能を付加した場合の一構成例を示す図。
【図８】会員カードの一構成例を示す図。
【図９】図８に示す会員カードに第三者カード機能を付加した場合の一構成例を示す図。
【図１０】図３に示す第三者カード発行処理の変形例を示すフローチャート。
【図１１】図３に示す第三者カード発行処理の変形例を示すフローチャート。
【図１２】図１に示した遊技店のシステムの変形例を示す図。
【図１３】図３に示す第三者カード発行処理の変形例を示すフローチャート。
【図１４】図３に示す第三者カード発行処理の変形例を示すフローチャート。
【図１５】図３に示す第三者カード発行処理の変形例を示すフローチャート。
【図１６】図３に示す第三者カード発行処理の変形例を示すフローチャート。
【図１７】図３に示す第三者カード発行処理の変形例を示すフローチャート。
【図１８】図３に示す第三者カード発行処理の変形例を示すフローチャート。
【図１９】本発明における第三者カード兼用の会員カードを新規に発行する場合の処理を示すフローチャート。
【図２０】会員申込書の一構成例を示す図。
【図２１】図１９に示す第三者カード兼用の会員カードを新規に発行する場合の処理の変形例を示すフローチャート。
【図２２】図１９に示す第三者カード兼用の会員カードを新規に発行する場合の処理の変形例を示すフローチャート。
【図２３】図１９に示す第三者カード兼用の会員カードを新規に発行する場合の処理の変形例を示すフローチャート。
【符号の説明】
Ａ…遊技店、１…遊技場、２…事務所（オフィス）、３…景品交換所、１０ａ〜１０ｎ…遊技島、１１…計数機、１２…プリペイドカード発行機、１００…遊技ユニット、１０１…遊技機、１０２…台間玉貸処理機、１０３…台ランプ部、１１０…島コントローラ、２０…管理コンピュータ（Ｔ／Ｃ）、２１…会員管理端末機、３０…景品管理端末機、３１…会員登録機、Ｘ…会員カード、Ｂ…第三者カード管理センター、Ｃ…通信回線網
【図１】
2004252846.tif 000003
【図２】
2004252846.tif 000004
【図３】
2004252846.tif 000005
【図４】
2004252846.tif 000006
【図５】
2004252846.tif 000007
【図６】
2004252846.tif 000008
【図７】
2004252846.tif 000009
【図８】
2004252846.tif 000010
【図９】
2004252846.tif 000011
【図１０】
2004252846.tif 000012
【図１１】
2004252846.tif 000013
【図１２】
2004252846.tif 000014
【図１３】
2004252846.tif 000015
【図１４】
2004252846.tif 000016
【図１５】
2004252846.tif 000017
【図１６】
2004252846.tif 000018
【図１７】
2004252846.tif 000019
【図１８】
2004252846.tif 000020
【図１９】
2004252846.tif 000021
【図２０】
2004252846.tif 000022
【図２１】
2004252846.tif 000023
【図２２】
2004252846.tif 000024
【図２３】
2004252846.tif 000025